(57)【要約】  【課題】ＰＴＴ電話帳に記録されている通話相手情報の表示の際に、通話相手の識別を容易にするべく、通話相手の画像を表示できるようにした携帯電話機を提供する。  【解決手段】ＰＴＴ電話帳５０１の閲覧時、若しくはＰＴＴ着信時にＰＴＴ電話帳に記録されている通話相手情報を表示する際に、当該通話相手情報に含まれるＰＴＴコールＩＤを検索キーとして、通常電話帳５０２から同じＰＴＴコールＩＤを含む通話相手情報を検索し、検出された通話相手情報に含まれる通話相手の画像等を表示する。  【選択図】  図５
2006013615.tif 000002
【特許請求の範囲】
【請求項１】
プッシュトゥトーク機能と、電話機能又はメール送受信機能とを備えた通信端末であって、
プッシュトゥトーク機能に用いられる、通話相手の通信端末の識別情報を含む第１通話相手情報を記録する第１電話帳と、
電話機能又はメール送受信機能に用いられる、通話相手の通信端末の識別情報と通話相手を示す画像を含む第２通話相手情報を記録する第２電話帳と、
前記第１電話帳に記録されている第１通話相手情報を報知する際に、前記第２電話帳から当該第１通話相手情報の一部を含む第２通話相手情報を検索する検索手段と、
前記第１通話相手情報と共に、前記検索手段により検出された第２通話相手情報の画像を含む、当該第２通話相手情報の少なくとも一部の情報を報知する報知手段とを備える
ことを特徴とする通信端末。
【請求項２】
ユーザから第１通話相手情報の報知指示を受け付ける受付手段を更に備え、
前記検索手段は、受け付けた報知指示に係る第１通話相手情報に含まれる識別情報を検索キーとして、前記第２電話帳から第２通話相手情報を検索する
ことを特徴とする請求項１に記載の通信端末。
【請求項３】
プッシュトゥトーク着信時に、プッシュトゥトーク発信元の通信端末の識別情報を受信する受信手段を更に備え、
前記検索手段は、受信した識別情報を検索キーとして、前記第２電話帳から第２通話相手情報を検索する
ことを特徴とする請求項１に記載の通信端末。
【請求項４】
プッシュトゥトーク通話中に、送話を行う通信端末の識別情報を受信する受信手段を更に備え、
前記検索手段は、受信した識別情報を検索キーとして、前記第２電話帳から第２通話相手情報を検索する
ことを特徴とする請求項１に記載の通信端末。
【請求項５】
前記報知手段は、前記検索手段により検出された第２通話相手情報に着信音の設定情報が含まれている場合に、当該第２通話相手情報に含まれる画像の表示と共に、その設定情報に基づいて着信音を出力することを特徴とする請求項３又は請求項４に記載の通信端末。
【請求項６】
前記報知手段は、前記検索手段により検出された第２通話相手情報に発光色の設定情報が含まれている場合に、当該第２通話相手情報に含まれる画像の表示と共に、その設定に基づいて発光することを特徴とする請求項３又は請求項４に記載の通信端末。
【発明の詳細な説明】
【技術分野】
【０００１】
本発明は、プッシュトゥトーク（Ｐｕｓｈ  Ｔｏ  Ｔａｌｋ：以下、ＰＴＴと呼ぶ）機能を備えた通信端末に関し、特にＰＴＴ通話の通話相手に関する情報の表示技術に関する。
【背景技術】
【０００２】
現在北米において、ＶｏＩＰ（Ｖｏｉｃｅ  ｏｖｅｒ  Ｉｎｔｅｒｎｅｔ  Ｐｒｏｔｏｃｏｌ）技術を利用した通話機能であるＰＴＴ機能を備えた携帯電話機が普及している。
下記の特許文献１には、ＰＴＴ機能を備えた無線電話機及びＰＴＴシステムが開示されている。
ここで、簡単にＰＴＴについて説明する。
【０００３】
ＰＴＴ機能を備えた携帯電話機でＰＴＴ通話を開始する場合、まず、ＰＴＴ通話を仲介するサーバにログインする。次に、通話相手である同じくＰＴＴ機能を備えた携帯電話機を、ＰＴＴ用の識別情報（以下、「ＰＴＴコールＩＤ」という。）で指定する。
指定したＰＴＴコールＩＤの携帯電話機が、サーバにログインしている状態、すなわち応答可能な状態であれば、自己の携帯電話機に備わるＰＴＴ送話用のボタン（以下、「ＰＴＴボタン」という。）を押すことで、指定した携帯電話機への送話が可能となり、また、ＰＴＴボタンを離すことで、通話相手の送話を聞くことができる。
【０００４】
ところで、ＰＴＴ機能を備えた携帯電話機は、通話相手についての諸情報（以下、「通話相手情報」という。）を記録し、閲覧することのできるデータベースである電話帳を２つ保持している。
１つは、通常の電話用の電話帳（区別するために以下、「通常電話帳」という。）であり、もう１つは、ＰＴＴ用の電話帳（以下、「ＰＴＴ電話帳」という。）である。
【０００５】
一般的に通常電話帳には、通話相手情報として、通話相手の名前、電話番号、メールアドレス、住所、画像、着信音の設定情報、着信時の発光色の設定情報等を記録することができ、また、記録された通話相手情報は、ユーザの表示指示により閲覧できる他、電話での通話中或いは電話着信時に、その通話相手の通話相手情報を表示させることができる。特に、通話相手情報に含まれる通話相手の画像の表示は、通話相手を容易に識別することができるという効果がある。
【特許文献１】特許公表２００２−５３６９２８号公報
【発明の開示】
【発明が解決しようとする課題】
【０００６】
一方、ＰＴＴ電話帳は、ＰＴＴ通話を仲介するサーバと携帯電話機との間で同期管理されており、この同期管理の都合上、通話相手情報として記録することのできる情報が制限されているのが一般的である。例えば、通話相手の携帯電話機のＰＴＴコールＩＤ、通話相手を示すコンタクト名を通話相手情報として記録することができる。
そして、ＰＴＴ電話帳に記録された通話相手情報は、通常電話帳に記録された通話相手情報と同様に、ユーザの表示指示を受け付け時、ＰＴＴ通話中及びＰＴＴ着信時に表示することができるが、ＰＴＴ電話帳の通話相手情報は、コンタクト名、ＰＴＴコールＩＤといった文字情報のみなので、通常電話帳の閲覧時、電話通話中及び電話着信時に表示される通話相手の画像に比べると、通話相手の識別が容易ではなかった。
【０００７】
このＰＴＴの通話相手の識別が容易でなかったという課題は、ＰＴＴ機能を備えた携帯電話機に限らず、ＰＴＴ機能と電話機能、或いはＰＴＴ機能とメール送受信機能を備えた通信端末全般において、共通の課題である。
そこで、本発明は、ＰＴＴ電話帳に記録されている通話相手情報の表示の際に、通話相手を示す画像を表示できるようにした通信端末を提供することを目的とする。
【課題を解決するための手段】
【０００８】
上記目的を達成する本発明に係る通信端末は、プッシュトゥトーク機能と、電話機能又はメール送受信機能とを備えた通信端末であって、プッシュトゥトーク機能に用いられる、通話相手の通信端末の識別情報を含む第１通話相手情報を記録する第１電話帳と、電話機能又はメール送受信機能に用いられる、通話相手の通信端末の識別情報と通話相手を示す画像を含む第２通話相手情報を記録する第２電話帳と、前記第１電話帳に記録されている第１通話相手情報を報知する際に、前記第２電話帳から当該第１通話相手情報の一部を含む第２通話相手情報を検索する検索手段と、前記第１通話相手情報と共に、前記検索手段により検出された第２通話相手情報の画像を含む、当該第２通話相手情報の少なくとも一部の情報を報知する報知手段とを備えることを特徴とする。
【０００９】
ここでいう報知手段とは、文字情報や画像を表示する手段、音声で情報を出力する手段、光を発光する手段等、なんらかの方法で情報をユーザに報知する手段のことをいう。
また、前記通信端末は、ユーザから第１通話相手情報の報知指示を受け付ける受付手段を更に備え、前記検索手段は、受け付けた報知指示に係る第１通話相手情報に含まれる識別情報を検索キーとして、前記第２電話帳から第２通話相手情報を検索するとしてもよい。
【００１０】
また、前記通信端末は、プッシュトゥトーク着信時に、プッシュトゥトーク発信元の通信端末の識別情報を受信する受信手段を更に備え、前記検索手段は、受信した識別情報を検索キーとして、前記第２電話帳から第２通話相手情報を検索するとしてもよい。
また、前記通信端末は、プッシュトゥトーク通話中に、送話を行う通信端末の識別情報を受信する受信手段を更に備え、前記検索手段は、受信した識別情報を検索キーとして、前記第２電話帳から第２通話相手情報を検索するとしてもよい。
【発明の効果】
【００１１】
上記構成により、例えば、ユーザから第１通話相手情報の報知指示を受け付けたとき、或いはプッシュトゥトーク着信時、或いはプッシュトーク通話中に、第１通話相手情報と共に、当該第１通話相手情報の一部を含む第２通話相手情報に含まれる通話相手を示す画像等が通信端末に表示されるので、ユーザは容易に通話相手を識別することができる。
また、プッシュトゥトーク着信時、或いはプッシュトーク通話中に、前記報知手段は、前記検索手段により検出された第２通話相手情報に着信音の設定情報が含まれている場合に、当該第２通話相手情報に含まれる画像の表示と共に、その設定情報に基づいて着信音を出力するとしてもよい。
【００１２】
また、プッシュトゥトーク着信時、或いはプッシュトーク通話中に、前記報知手段は、前記検索手段により検出された第２通話相手情報に発光色の設定情報が含まれている場合に、当該第２通話相手情報に含まれる画像の表示と共に、その設定に基づいて発光するとしてもよい。
これらの構成により、通信端末が報知する情報、すなわち、通話相手の画像、当該通話相手と対応付けて設定されている着信音或いは発光色によって、ユーザはプッシュトゥトーク発信元の通話相手或いは送話中の通話相手を容易に識別することができる。
【発明を実施するための最良の形態】
【００１３】
以下、本発明の一実施形態について、図面を用いて説明する。
＜１．ＰＴＴシステム＞
図１は、ＰＴＴシステムの構成を示す図である。
ＰＴＴシステム５０は、ネットワーク１０、複数の携帯電話機１〜８、基地局１１〜１３、エッジサーバ（Ｅｄｇｅ  Ｓｅｒｖｅｒ、以下「ＥＳ」という。）２１〜２３、パソコン（Ｐｅｒｓｏｎａｌ  Ｃｏｍｐｕｔｅｒ、以下「ＰＣ」という。）３０、アプリケーションサーバ（Ａｐｐｌｉｃａｔｉｏｎ  Ｓｅｒｖｅｒ、以下、「ＡＳ」という。）４０から構成される。
【００１４】
なお、携帯電話機１〜８、基地局１１〜１３、ＥＳ２１〜２３、ＰＣ３０、ＡＳ４０は、それぞれ、同図に示す数に限定されるものではなく、例えば、携帯電話機は、数千から数万台存在していてもよい。
基地局１１〜１３は、それぞれ所定のエリアを管轄しており、エリア内に存在する携帯電話機と無線接続する。
【００１５】
ＥＳ２１〜２３は、各基地局１１〜１３と対応して設けられており（例えば、基地局１１に対してＥＳ２１が設けられている。）、対応する基地局の管轄エリア内の携帯電話機が、モバイルＩＰアドレスの割り当て要求をしてくると、当該携帯電話機にモバイルＩＰアドレスを割り当てる。
携帯電話機１〜８はいずれもＰＴＴ機能を備えた携帯電話機であって、電源がＯＮ状態で、且つＰＴＴ機能がＯＮ状態に設定されていれば、各々が位置するエリアを管轄する基地局１１〜１３と無線接続した際に、それぞれの基地局１１〜１３と対応して設けられているＥＳ２１〜２３に対して、モバイルＩＰアドレスの割り当て要求を行う。例えば、携帯電話機１〜３は、基地局１１と無線接続した際に、ＥＳ２１に対してモバイルＩＰアドレスの割り当て要求を行う。
【００１６】
ＥＳからモバイルＩＰアドレスが割り当てられた携帯電話機は、Ｓｅｓｓｉｏｎ  Ｉｎｉｔｉａｔｉｏｎ  Ｐｒｏｔｏｃｏｌ（以下、「ＳＩＰ」という。）で、自機が位置するエリアを管轄する基地局及びネットワーク１０を介してＡＳ４０にログイン要求を行う。
ＰＣ３０は、ＡＳ４０にアクセスして、ＰＴＴ電話帳の記録及び更新を行うことができる。
【００１７】
ＡＳ４０は、携帯電話機間のＰＴＴ通話を仲介するサーバであり、ＳＩＰでログイン要求を送信してきた携帯電話機の管理や、各携帯電話機のＰＴＴ電話帳の同期管理、携帯電話機間のＰＴＴ通話の仲介処理を行う。
＜２．ＡＳ４０＞
ここで、ＡＳ４０の機能構成について図２を用いて説明する。
【００１８】
ＡＳ４０は、インターフェース部４１、携帯電話機管理部４２、ＰＴＴコールＩＤ記憶部４３、ＰＴＴ電話帳同期管理部４４、ＰＴＴ電話帳記憶部４５、ＰＴＴ仲介処理部４６及び音声データ記憶部４７を備える。
インターフェース部４１は、ネットワーク１０に接続されている外部機器と通信を行う機能部である。
【００１９】
携帯電話機管理部４２は、ＡＳ４０にログイン要求を送信してきた携帯電話機を管理する機能部である。携帯電話機は、ログイン要求のときに自機の識別情報であるＰＴＴコールＩＤを送信しており、携帯電話機管理部４２は、ログイン要求を認めた携帯電話機のＰＴＴコールＩＤをＰＴＴコールＩＤ記憶部４３に記憶して管理する。
ＰＴＴ電話帳同期管理部４４は、ログイン要求を認めた携帯電話機との間で、ＰＴＴ電話帳の同期管理をする機能部である。
【００２０】
ここでいう同期管理とは、ＡＳ４０と携帯電話機の双方において同じＰＴＴ電話帳をニ重に管理することをいい、一方のＰＴＴ電話帳に更新があれば、他方も同様に更新するといったことを行う。
例えば、携帯電話機１のＰＴＴ電話帳に新たな通話相手情報が記録されると、携帯電話機１は、当該ＰＴＴ電話帳のバージョン情報を書き換えて、ＡＳ４０にアップロードする。携帯電話機１からＡＳ４０にアップロードされたＰＴＴ電話帳は、ＰＴＴ電話帳同期管理部４４によってそのバージョン情報が確認され、携帯電話機１の古いバージョン情報のＰＴＴ電話帳がＰＴＴ電話帳記憶部４５に記憶されていれば、これを上書きして、新しいバージョン情報のＰＴＴ電話帳を記憶する。
【００２１】
また、ＰＣ３０からＡＳ４０に携帯電話機１用のＰＴＴ電話帳がアップロードされた場合、ＡＳ４０は、当該ＰＴＴ電話帳がアップロードされたことを携帯電話機１に通知し、通知を受けた携帯電話機１は、当該ＰＴＴ電話帳をＡＳ４０からダウンロードして、携帯電話機１に記憶されているＰＴＴ電話帳の更新を行う。
ＰＴＴ仲介処理部４６は、携帯電話機間のＰＴＴ通話の仲介処理を行う機能部である。
【００２２】
ＰＴＴ仲介処理部４６は、まず、ＰＴＴ通話の開始要求を携帯電話機から受け付けて、当該携帯電話機が指定する通話相手との通信確立を行う。その後、ＰＴＴ通話が行われている間は、ＰＴＴボタンが押下されることにより送話要求を送信しているいずれか１つの携帯電話機に送話権を与える処理と、ＰＴＴボタンが押下されていない携帯電話機への音声データの送信処理を行う。
【００２３】
音声データの送受信には、ＲＴＰ（Ｒｅａｌ−ｔｉｍｅ  Ｔｒａｎｓｐｏｒｔ  Ｐｒｏｔｏｃｏｌ）が用いられ、送話権が付与された携帯電話機から送られてきた音声データは、一旦音声データ記憶部４７に記憶され、ＰＴＴボタンが押下されていない携帯電話機へ送出される。
ＰＴＴ通話には、１対１通話とグループ通話の２種類あり、１対１通話は、文字通り、２つの携帯電話機間で行われる通話である。一方、グループ通話は、予めＰＴＴ電話帳に記録されているグループに属する複数の携帯電話機間で行われる通話である。
【００２４】
１対１通話の仲介処理では、ＰＴＴ通話の開始を要求した携帯電話機から送られてくる当該携帯電話機のＰＴＴコールＩＤと通話相手の携帯電話機のＰＴＴコールＩＤに基づいて、ＰＴＴ通話の仲介を行う。
一方、グループ通話の仲介処理の場合、グループ通話のアクセス先として設定したＵＲＩ（Ｕｎｉｆｏｒｍ  Ｒｅｓｏｕｒｃｅ  Ｉｄｅｎｔｉｆｉｅｒ）を、グループ内の各携帯電話機に送信する。
【００２５】
ＡＳ４０からＵＲＩを受信した各携帯電話機は、そのＵＲＩをアクセス先としてグループ通話を行う。
＜３．携帯電話機＞
次に、ＰＴＴ機能を備えた携帯電話機の構成について説明する。
図３は、ＰＴＴ機能を備えた携帯電話機の外観の一例を示す図であり、図４は、ＰＴＴ機能を備えた携帯電話機の機能ブロック図である。図３及び図４において、同じ機能部については同じ符号を付している。
【００２６】
図３及び図４に示すように携帯電話機１は、スピーカ部１０１、マイク部１０２、操作部１０３（ＰＴＴボタン１０３Ａを含む）、表示部１０４、アンテナ１０５、通信部１０６、制御部１０７、記憶部１０８及び発光部１０９を備える。図１に示した携帯電話機２〜８も同様の機能部を備える。
スピーカ部１０１は、制御部１０７から伝送されてきた音声信号や、着信時に制御部１０７の制御に従って数種類の音色とメロディーパターンから成る着信音を出力する機能を有する。
【００２７】
マイク部１０２は、音声を収集して電気信号として受け付けて制御部１０７に伝送する機能を有する。
操作部１０３は、一般的な携帯電話機に備わる０から９までのテンキーボタンや、オンフックボタン、オフフックボタン等の各種機能ボタンの他、図３に示すＰＴＴボタン１０３Ａを有し、各種ボタンが押下されることによってユーザから各種指示を受け付ける。
【００２８】
表示部１０４は、制御部１０７の制御に従って、待ち受け画面、ＰＴＴ電話帳表示画面等を表示する機能を有する。
アンテナ１０５は、一般的な携帯電話機に備わるアンテナと同様であり、音声やデータ等を搬送する搬送波の送受を行う。受信した搬送波信号は、通信部１０６に送られる。
通信部１０６は、アンテナ１０５が受信した搬送波信号及び制御部１０７から伝送されてきた音声等の圧縮信号に対して、変復調処理、増幅処理、Ａ／Ｄ及びＤ／Ａ変換処理といった、送受信に係る一連の処理を行う機能部である。
【００２９】
制御部１０７は、マイクロプロセッサ、ＤＳＰ（Ｄｉｇｉｔａｌ  Ｓｉｇｎａｌ  Ｐｒｏｃｅｓｓｏｒ）等によって構成されており、記憶部１０８に記憶されている各種プログラムに従って各機能部の制御を行う。例えば、ＰＴＴ制御では、ＰＴＴ機能がＯＮ状態に設定されている場合、電源が入ると直ちに基地局と無線接続を行い、当該基地局と対応して設けられているＥＳに対して、モバイルＩＰアドレスの割り当て要求を行う。また、後述するＰＴＴ電話帳表示処理、ＰＴＴ着信時の通話相手情報表示処理等も行う。
【００３０】
記憶部１０８は、各種プログラムの他に、通常電話帳とＰＴＴ電話帳を記憶している。
発光部１０９は、発光ダイオードで構成されており、制御部１０７の制御に従って、着信時に数種類あるうちのいずれか１つの色、或いは複数の色の組み合わせで発光を行う機能を有する。
＜４．ＰＴＴ電話帳及び通常電話帳＞
次に、ＰＴＴ電話帳及び通常電話帳について説明する。
【００３１】
図５は、携帯電話機とＡＳ４０との間で同期管理されているＰＴＴ電話帳と、携帯電話機に記憶されている通常電話帳を示した図である。
携帯電話機の記憶部１０８には、ＰＴＴ電話帳５０１と通常電話帳５０２が記憶されており、ＰＴＴ電話帳５０１は、個別の通話相手情報が記録されている１対１通話用ＰＴＴ電話帳５０１Ａと、複数の通話相手情報が１のグループに属するものとして記録されているグループ通話用ＰＴＴ電話帳５０１Ｂの２種類ある。
【００３２】
ＰＴＴ電話帳５０１Ａは、個々の通話相手の通話相手情報を記録することができるデータベースであり、ＰＴＴ電話帳５０１Ｂは、グループ名、及びグループに属する各通話相手の通話相手情報から構成されるグループ情報を記録することができるデータベースである。
ＰＴＴ電話帳５０１に記録される通話相手情報は、コンタクト名、ＰＴＴコールＩＤで構成され、コンタクト名は、ユーザが通話相手を認識し易くするための識別情報であり、通話相手の名前やニックネーム等をユーザが決めて用いることができる。但し、使用できる文字や文字数に制限がある。
【００３３】
ＰＴＴコールＩＤは、通話相手情報として入力しなければならない必須情報であり、通話相手の携帯電話機の識別情報である。本実施形態では、１０ケタの数字からなる番号を識別情報としており、携帯電話機の電話番号とは異なる番号としている。
一方、通常電話帳５０２に記録される通話相手情報は、名前、電話番号１（携帯）、電話番号２（例えば、家の電話番号等）、メールアドレス、ＵＲＬ（通話相手のホームページ）、着信音、イラスト、写真、発光色等の他、ＰＴＴコールＩＤで構成されている。
【００３４】
従来の携帯電話機の電話帳と異なる点は、ＰＴＴコールＩＤの項目が追加されている点である。
ＡＳ４０のＰＴＴ電話帳同期管理部４４は、ログインしている各携帯電話機とＰＴＴ電話帳を同期管理しており、ＰＴＴ電話帳記憶部４５には、ログインしている各携帯電話機のＰＴＴ電話帳（ＰＴＴ電話帳５０３Ａ、５０３Ｂ等）が記憶されている。
【００３５】
なお、通話相手情報は、携帯電話機やＰＣにおいて、ユーザが入力することで作成される。
＜５．動作＞
次に、携帯電話機１のＰＴＴ電話帳表示処理と、ＰＴＴ着信時の通話相手情報表示処理について説明する。
【００３６】
＜５．１  ＰＴＴ電話帳表示処理＞
図６は、ＰＴＴ電話帳表示処理のフローチャートを示す図である。
まず、携帯電話機１がＰＴＴ電話帳の表示指示をユーザから受け付けると（ステップＳ１：ＹＥＳ）、制御部１０７は表示部１０４に、記憶部１０８に記憶されているＰＴＴ電話帳の各通話相手情報を一覧表示する（ステップＳ２）。
【００３７】
そして、その一覧表示された通話相手情報の中からいずれかの指定をユーザから受け付けると（ステップＳ３：ＹＥＳ）、制御部１０７は、指定された通話相手情報に含まれるＰＴＴコールＩＤを検索キーとして、通常電話帳の検索を行う。（ステップＳ４）。
ステップＳ３において、通話相手情報の指定を受けず（ステップＳ３：ＮＯ）、ＰＴＴ電話帳の表示終了指示をユーザから受け付けると（ステップＳ１０：ＹＥＳ）、制御部１０７は、ＰＴＴ電話帳表示処理を終了し、通常の待ち受け画面に表示を切り替える制御を行う。
【００３８】
ステップＳ１０において、ＰＴＴ電話帳の表示終了指示を受けなければ（ステップＳ１０：ＮＯ）、ステップＳ２に戻る。
ステップＳ４において、通常電話帳を検索した結果、検索キーのＰＴＴコールＩＤを含む通話相手情報が検出された場合（ステップＳ５：ＹＥＳ）、制御部１０７は、ＰＴＴ電話帳に記録されている通話相手情報と共に、通常電話帳に記録されている通話相手情報を表示部１０４に表示させる（ステップＳ６）。
【００３９】
一方、検索キーのＰＴＴコールＩＤを含む通話相手情報が、通常電話帳から検出されなかった場合（ステップＳ５：ＮＯ）、制御部１０７は、ＰＴＴ電話帳に記録されている通話相手情報のみを表示部１０４に表示させる（ステップＳ７）。
そして、表示部１０４に表示されている通話相手情報が示す通話相手の携帯電話機に対して、ＰＴＴ発信する指示をユーザから受け付けた場合（ステップＳ８：ＹＥＳ）、制御部１０７は、ＰＴＴ発信処理を行う（ステップＳ９）。
【００４０】
ステップＳ８において、ユーザからＰＴＴ発信する指示を受け付けなかった場合（ステップＳ８：ＮＯ）、ステップＳ１０に進む。
上述のＰＴＴ電話帳表示処理の具体例について図面を用いて説明する。
図８は、電話帳の選択メニュー画面の一例を示す図である。
メニュー画面８００には、電話帳（通常電話帳）、１対１通話用ＰＴＴ電話帳、グループ通話用ＰＴＴ電話帳の３つの選択項目が示されている。
【００４１】
いずれかの選択項目が選択されることで、それぞれの電話帳に記録されている各通話相手情報が一覧表示される。
まず、１対１通話用ＰＴＴ電話帳が選択された場合に行われる、ＰＴＴ電話帳表示処理の具体的な動作について説明する。
図９は、１対１通話用ＰＴＴ電話帳に記録されている各通話相手情報の一覧表示の一例を示す図である。
【００４２】
一覧表示画面９００には、ＰＴＴ電話帳に記録されている各通話相手を示すコンタクト名とＰＴＴコールＩＤが表示されている。
図１０は、図９の一覧表示画面９００に示されている通話相手の一人である、「一郎」に関する通話相手情報を示した図である。
同図に示すように一対一通話用ＰＴＴ電話帳には、「一郎」に関する通話相手情報１０００として、コンタクト名「一郎」、ＰＴＴコールＩＤ「９１３−２００−２０００」が記憶されている。また、通常電話帳には、「一郎」に関する通話相手情報１００１として、名前「一郎」、電話番号１「０９０−ｘｘｘｘ−△△△△」、メールアドレス「ｉｃｈｉ＠○○．ｃｏ．ｊｐ」、ＵＲＬ「ｈｔｔｐ：／／ｗｗｗ．ｘｘｘ．△△／１」、写真「ｐｈｏｔｏ０００１２３」、発光色「赤」、ＰＴＴコールＩＤ「９１３−２００−２０００」が記憶されている。
【００４３】
上述のＰＴＴ電話帳表示処理のステップＳ３において、一覧の中から「一郎」が選択された場合、通話相手情報１０００に含まれているＰＴＴコールＩＤを検索キーとして、通常電話帳の検索を行い、当該ＰＴＴコールＩＤが含まれている通話相手情報１００１が検出される。
図１１は、上述のＰＴＴ電話帳表示処理のステップＳ３において、「一郎」が選択された場合に、表示部１０４に表示される「一郎」に関する詳細画面の一例を示す図である。
【００４４】
同図において、詳細画面１１００の点線１１０１で囲った部分の情報は、通常電話帳に記録されている「一郎」に関する通話相手情報の一部である。すなわち、ＰＴＴ電話帳に記録されている「一郎」に関する通話相手情報と共に、通常電話帳に記録されている「一郎」に関する通話相手情報も表示することができる。
これにより、従来、通話相手に関する情報として貧弱であった、ＰＴＴ電話帳の通話相手情報の表示において、通常電話帳と同様のボリュームの通話相手に関する情報を表示させることができ、特に、通話相手の写真を表示することによって、通話相手の識別が容易になるというメリットがある。
【００４５】
次に、図８に示すメニュー画面で、グループ通話用ＰＴＴ電話帳が選択された場合に行われる、ＰＴＴ電話帳表示処理の具体的な動作について説明する。
図１２は、グループ通話用ＰＴＴ電話帳に記録されている各グループの一覧表示の一例を示す図である。
一覧表示画面１２００には、ＰＴＴ電話帳に記録されている各グループを示すグループ名が表示されている。
【００４６】
図１３は、図１２の一覧表示画面１２００に示されているグループのうちの１つである、「高校仲間」に関するグループ情報及び当該グループに含まれる各通話相手情報を示した図である。
グループ通話用ＰＴＴ電話帳には、グループ「高校仲間」のグループ情報１３０１として、グループ名「高校仲間」、グループ「高校仲間」に属する各通話相手のコンタクト名及びＰＴＴコールＩＤが記録されている。
【００４７】
また、通常電話帳には、「一郎」に関する通話相手情報１３０２、「花子」に関する通話相手情報１３０３、「太郎」に関する通話相手情報１３０４が記録されている。
図１３に示すように、「一郎」に関する通話相手情報１３０２には、ＰＴＴコールＩＤ「９１３−２００−２０００」が、「花子」に関する通話相手情報１３０３には、ＰＴＴコールＩＤ「９１３−２０１−２０９０」が、「太郎」に関する通話相手情報１３０４には、ＰＴＴコールＩＤ「９２４−３２１−４０２０」が、含まれている。
【００４８】
上述のＰＴＴ電話帳表示処理のステップＳ３において、グループ一覧の中から「高校仲間」が選択された場合、グループ情報１３０１に含まれている各通話相手情報のＰＴＴコールＩＤを検索キーとして、通常電話帳の検索を行い、これらのＰＴＴコールＩＤが含まれている通話相手情報１３０２、１３０３、１３０４が検出される。
図１４は、上述のＰＴＴ電話帳表示処理のステップＳ３において、「高校仲間」が選択された場合に、表示部１０４に表示される「高校仲間」に属する各通話相手の一覧表示画面の一例を示す図である。
【００４９】
同図に示す一覧表示画面１４００には、グループ「高校仲間」に属する「一郎」の顔写真１４０１、「花子」の顔写真１４０２、「太郎」の顔写真１４０３が、それぞれのコンタクト名及びＰＴＴコールＩＤと共に表示されている。
顔写真１４０１、１４０２、１４０３の表示によって、従来のＰＴＴ電話帳より、通話相手の識別が容易になるというメリットがある。
【００５０】
＜５．２  通話相手情報表示処理＞
次に、ＰＴＴ着信時の通話相手情報表示処理について説明する。
図７は、通話相手情報表示処理のフローチャートを示す図である。
まず、ＰＴＴ着信時に携帯電話機１は、ＰＴＴ通話開始要求を行った通話相手のＰＴＴコールＩＤを受信する（ステップＳ１１）。
【００５１】
制御部１０７は、受信したＰＴＴコールＩＤを検索キーとして、通常電話帳の検索を行う。（ステップＳ１２）。
ステップＳ１２において、通常電話帳を検索した結果、検索キーのＰＴＴコールＩＤを含む通話相手情報が検出された場合（ステップＳ１３：ＹＥＳ）、制御部１０７は、ＰＴＴ電話帳に記録されている通話相手情報と共に、通常電話帳に記録されている通話相手情報を表示部１０４に表示させる（ステップＳ１４）。
【００５２】
一方、検索キーのＰＴＴコールＩＤを含む通話相手情報が、通常電話帳から検出されなかった場合（ステップＳ１３：ＮＯ）、制御部１０７は、ＰＴＴ電話帳に記録されている通話相手情報のみを表示部１０４に表示させる（ステップＳ１５）。その後、ＰＴＴ通話処理を行う（ステップＳ１６）。
ここで、上述の通話相手情報表示処理の具体例について図面を用いて説明する。
【００５３】
図１５は、ＰＴＴ着信時に表示部１０４に表示されるＰＴＴ着信画面の一例を示す図である。
同図に示すように、呼び出しを行った通話相手の顔写真１５０１と、通話相手に関する情報がＰＴＴ着信画面１５００に表示される。点線囲み部分は、通常電話帳に記録されている情報であり、携帯電話番号、メールアドレスが表示されている。
【００５４】
これにより、従来のＰＴＴ着信時に表示される文字情報だけの着信画面より、通話相手の識別が容易になるというメリットがある。
図１５は、１対１通話の場合に着信側の携帯電話機に表示されるＰＴＴ着信画面の一例であり、グループ通話着信の場合は、図１６に示す着信画面が表示される。
図１６は、グループ「高校仲間」のグループ通話着信時に表示されるＰＴＴ着信画面を示す図である。
【００５５】
同図に示すように、ＰＴＴ着信画面１６００には、グループ「高校仲間」に属する各通話相手の顔写真１６０１、１６０２及び１６０３が表示されている。
これによりグループ通話の着信時においても、顔写真１６０１、１６０２、１６０３の表示によって、従来より通話相手の識別が容易になるというメリットがある。
＜補足＞
なお、本発明は上記実施形態に限定されないのはもちろんである。以下のような場合も本発明に含まれる。
【００５６】
（１）上記実施形態において、ＰＴＴ機能を備えた携帯電話機の電話番号とＰＴＴコールＩＤは異なるものとして説明したが、同じであってもよい。この場合、通常電話帳にＰＴＴコールＩＤの項目を備える必要はなく、ＰＴＴ電話帳に記録されている電話番号と同じ電話番号を含む通話相手情報を通常電話帳から検索すればよい。
（２）ＰＴＴ着信時に受信したＰＴＴコールＩＤを検索キーとして通常電話帳を検索し、検出された通話相手情報に着信音の設定情報が含まれる場合、制御部１０７は、当該設定情報が示す着信音をスピーカ部１０１から出力させて、ユーザにＰＴＴ着信を知らせるようにしてもよい。また、検出された通話相手情報に発光色の設定情報が含まれる場合、制御部１０７は、当該設定情報が示す発光色を発光部１０９に発光させて、ユーザにＰＴＴ着信を知らせるようにしてもよい。
【００５７】
（３）ＰＴＴ通話を仲介するＡＳは、ＰＴＴ通話中に、送話を行っている携帯電話機のＰＴＴコールＩＤを各携帯電話機に送信するので、この送話者を示すＰＴＴコールＩＤを受信したときに、当該ＰＴＴコールＩＤを検索キーとして通常電話帳を検索し、検出された通話相手情報に着信音の設定情報が含まれる場合、制御部１０７は、当該設定情報が示す着信音をスピーカ部１０１から出力させて、ユーザに送話者を知らせるようにしてもよいし、検出された通話相手情報に発光色の設定情報が含まれる場合、制御部１０７は、当該設定情報が示す発光色を発光部１０９に発光させて、ユーザに送話者を知らせるようにしてもよい。
【００５８】
例えば、グループ通話において、通話者Ａが送話しているときには、ＬＥＤを青で発光し、通話者Ｂが送話しているときは、ＬＥＤを赤で発光する。これにより、現在送話している者を、発光色で容易に識別することができる。
（４）上記実施形態では、本発明に係る通信端末をＰＴＴ機能を備えた携帯電話機であるとして説明したが、本発明はこれに限られず、例えば、ＰＴＴ機能を備えた卓上電話機として実現してもよいし、ＰＴＴ機能とメール送受信機能を備えたＰＤＡ（Ｐｅｒｓｏｎａｌ  Ｄｉｇｉｔａｌ  Ａｓｓｉｓｔａｎｃｅ）として実現してもよい。
【００５９】
（５）上記実施形態では、ＰＴＴコールＩＤを検索キーとして、通常電話帳から通話相手情報を検出していたが、コンタクト名を検索キーとしてもよい。この場合、まず、受信したＰＴＴコールＩＤでＰＴＴ電話帳を検索して、対応する通話相手情報に含まれるコンタクト名を検出し、その後、検出されたコンタクト名を検索キーとして、通常電話帳から、対応する通話相手情報を検出するという動作になる。
【００６０】
（６）上記実施形態において説明した処理ステップ（図６、図７に示したステップ等）を、プログラム実行機能及びＰＴＴ機能を有する携帯電話機に実行させるためのプログラムを、記録媒体に記録し又は各種通信路等を介して、流通させ頒布することができる。
かかる記録媒体には、ＩＣカード、光ディスク、フレキシブルディスク、ＲＯＭ等がある。流通、頒布されたプログラムは、プログラム実行機能を有するＰＴＴ機能付き携帯電話機にインストールされることにより利用に供され、そのＰＴＴ機能付き携帯電話機は、そのプログラムを実行することにより、上記実施形態に示した機能を実現する。
【産業上の利用可能性】
【００６１】
本発明は、ＰＴＴ機能を備えた携帯電話機として実現することで大変有用である。
【図面の簡単な説明】
【００６２】
【図１】ＰＴＴシステムの構成を示す図である。
【図２】ＡＳ４０の機能構成を示す図である。
【図３】ＰＴＴ機能を備えた携帯電話機の外観の一例を示す図である。
【図４】ＰＴＴ機能を備えた携帯電話機の機能構成図である。
【図５】ＰＴＴ電話帳と通常電話帳のデータ内容を示した図である。
【図６】ＰＴＴ電話帳表示処理のフローチャートを示す図である。
【図７】通話相手情報表示処理のフローチャートを示す図である。
【図８】電話帳の選択メニュー画面の一例を示す図である。
【図９】１対１通話用ＰＴＴ電話帳に記録されている各通話相手情報の一覧表示の一例を示す図である。
【図１０】通話相手情報の具体例を示した図である。
【図１１】詳細画面の一例を示す図である。
【図１２】グループ通話用ＰＴＴ電話帳に記録されている各グループの一覧表示の一例を示す図である。
【図１３】グループ情報及び当該グループに含まれる各通話相手情報の具体例を示した図である。
【図１４】グループに属する各通話相手の一覧表示画面の一例を示す図である。
【図１５】ＰＴＴ着信時に表示部１０４に表示されるＰＴＴ着信画面の一例を示す図である。
【図１６】グループ通話着信時に表示されるＰＴＴ着信画面を示す図である。
【符号の説明】
【００６３】
１〜８        携帯電話機
１０          ネットワーク
１１〜１３    基地局
２１〜２３    ＥＳ
３０          ＰＣ
４０          ＡＳ
４１          インターフェース部
４２          携帯電話機管理部
４３          ＰＴＴコールＩＤ記憶部
４４          ＰＴＴ電話帳同期管理部
４５          ＰＴＴ電話帳記憶部
４６          ＰＴＴ仲介処理部
４７          音声データ記憶部
１０１        スピーカ部
１０２        マイク部
１０３        操作部
１０３Ａ      ＰＴＴボタン
１０４        表示部
１０５        アンテナ
１０６        通信部
１０７        制御部
１０８        記憶部
１０９        発光部
【図１】
2006013615.tif 000003
【図２】
2006013615.tif 000004
【図３】
2006013615.tif 000005
【図４】
2006013615.tif 000006
【図５】
2006013615.tif 000007
【図６】
2006013615.tif 000008
【図７】
2006013615.tif 000009
【図８】
2006013615.tif 000010
【図９】
2006013615.tif 000011
【図１０】
2006013615.tif 000012
【図１１】
2006013615.tif 000013
【図１２】
2006013615.tif 000014
【図１３】
2006013615.tif 000015
【図１４】
2006013615.tif 000016
【図１５】
2006013615.tif 000017
【図１６】
2006013615.tif 000018